【手続補正書】
【提出日】平成17年8月23日(2005.8.23)
【手続補正１】
【補正対象書類名】特許請求の範囲
【補正対象項目名】全文
【補正方法】変更
【補正の内容】
【特許請求の範囲】
【請求項１】
画像取り込み装置および音声信号取り込み装置によって取り込まれたリアルタイムスライドプレゼンテーションを表す複数のオーバーレイされた再生可能なビットストリームを含むマルチメディアデータオブジェクトであって、前記複数のオーバーレイされた再生可能なビットストリームが、少なくとも、
前記スライドプレゼンテーションの複数のスライドそれぞれの画像に対応する第１のビットストリームと、
前記プレゼンテーション中に取り込まれた各スライドとのプレゼンターのインタラクションのシンボリック表現に対応する第２のビットストリームと、
前記プレゼンテーション中に取り込まれた前記プレゼンテーションの音声信号に対応する第３のビットストリーム
を含み、
前記ビットストリームはスライド単位で同期され再生可能である、マルチメディアデータオブジェクト。
【請求項２】
前記第２のビットストリーム内の前記プレゼンターインタラクションのシンボリック表現と、前記複数のビットストリームの中の別のビットストリーム内の対応する位置とのリンクをさらに備え、これにより、前記再生されたスライド内のシンボリック表現が選択されると、前記対応するリンクされた位置で前記複数のビットストリームの中の他のビットストリームが再生されるようにする、請求項１記載のマルチメディアデータオブジェクト。
【請求項３】
前記他のビットストリームは前記第３のビットストリームである、請求項２記載のマルチメディアデータオブジェクト。
【請求項４】
複数のビデオクリップに対応する第４のビットストリームをさらに含む、請求項２記載のマルチメディアデータオブジェクト。
【請求項５】
前記複数のビデオクリップは、プレゼンターインタラクションの検出に応じて、前記リアルタイムスライドプレゼンテーション中に取り込まれ、前記複数のビットストリームの中の他のビットストリームは前記第４のビットストリームであり、前記再生スライド内のシンボリック表現を選択すると、前記第４のビットストリーム内の関連するビデオクリップが再生される、請求項４記載のマルチメディアデータオブジェクト。
【請求項６】
前記リンクは、他のビットストリームへのポインタを格納するルックアップテーブルを含む、請求項２記載のマルチメディアデータオブジェクト。
【請求項７】
閲覧可能なマルチメディアデータオブジェクトを作成するシステムであって、
画像取り込み装置および音声信号取り込み装置を使用してリアルタイムスライドプレゼンテーションを記録し、少なくとも、前記スライドプレゼンテーションの複数のスライドそれぞれの画像に対応する第１のビットストリームと、前記スライドとのプレゼンターのインタラクションのシンボリック表現に対応する第２のビットストリームと、前記リアルタイムスライドプレゼンテーションの音声信号に対応する第３のビットストリームを含む前記マルチメディアデータオブジェクトに対応する複数のオーバーレイされた再生可能なビットストリームを生成するための手段と、
前記マルチメディアデータオブジェクトを記録する間に、前記複数のビットストリームの１つの中の位置をトラッキングするための手段と、
前記マルチメディアデータオブジェクトを取り込む間に、スライド内の関心領域とのプレゼンターインタラクションを検出するための手段であって、検出されたプレゼンターインタラクションは、前記シンボリックインタラクションビットストリーム内の対応するシンボリックインタラクションイベントを有することからなる、手段と、
前記シンボリックインタラクションイベントを、該シンボリックインタラクションイベント時に前記１つのビットストリーム内で発生する対応するトラッキング位置にリンクするための手段
を備える、システム。
【請求項８】
前記他のビットストリームは前記第３のビットストリームである、請求項７記載のシステム。
【請求項９】
前記複数のビットストリームは、前記リアルタイムスライドプレゼンテーションの複数のビデオクリップに対応する第４のビットストリームをさらに含み、前記他のビットストリームは該第４のビットストリームである、請求項７記載のシステム。
【請求項１０】
前記複数のビデオクリップは、プレゼンターインタラクションの検出に応じて前記リアルタイムスライドプレゼンテーション中に取り込まれ、前記複数のビットストリームの中の他のビットストリームは前記第４のビットストリームであり、前記再生スライド内のシンボリック表現が選択されると、前記第４のビットストリーム内の関連するビデオクリップが再生される、請求項９記載のシステム。
【請求項１１】
複数のスライドに対応する画像信号を生成するためのコンピューティングシステムと、
前記スライドに対応する前記画像信号を表示エリア内に表示するための表示システムと、
前記複数のスライドの画像および前記スライドそれぞれとのプレゼンターインタラクションの画像を含むリアルタイムスライドプレゼンテーションの画像を少なくとも取り込み、及び、プレゼンターの音声を取り込んで捕捉された信号を生成するための取り込み装置と、
前記コンピュータにより生成された画像信号と前記捕捉された信号から、前記マルチメディアデータオブジェクトに対応する複数のオーバーレイされた同期して再生可能なビットストリームを作成するための手段であって、前記複数のビットストリームは、少なくとも、前記スライドプレゼンテーションの複数のスライドそれぞれの画像に対応するビットストリーム、前記スライドそれぞれとのプレゼンターインタラクションに対応するビットストリーム、およびプレゼンターの音声部分に対応するビットストリームを含むことからなる、手段と、
取り込んでいる間に、前記捕捉された信号の少なくとも１つ内の位置をトラッキングするためのカウンタと、
前記リアルタイムプレゼンテーション中のプレゼンターインタラクションの発生を検出するための検出器であって、前記インタラクションはそれぞれ、前記シンボリックインタラクションビットストリーム内に対応するシンボリックインタラクションイベントを有することからなる、検出器と、
前記インタラクションビットストリーム内の検出されたプレゼンターインタラクションに対応するシンボリックインタラクションイベントを表す第１のインジケータ、および、前記プレゼンターインタラクションが検出されたときに発生する前記捕捉された信号の１つ内のトラッキング位置に対応する、前記複数のビットストリームの中の１つ内の位置を表す第２のインジケータを格納するためのルックアップテーブルであって、前記第１のインジケータと第２のインジケータは、前記マルチメディアデータオブジェクトが再生されるときに、前記スライドの１つの画像内のシンボリックインタラクションイベントが選択されると、前記トラッキング位置における音声ビットストリームが再生されるようにリンクされることからなる、ルックアップテーブル
を備えるシステム。
【請求項１２】
前記カウンタはタイマである、請求項１１記載のシステム。
【請求項１３】
前記カウンタは、格納されている音声データの量をトラッキングする、請求項１１記載のシステム。
【請求項１４】
少なくとも、スライドプレゼンテーションの複数のスライドそれぞれの画像に対応するビットストリームと、各スライド内の関心ポイントとのプレゼンターのシンボリックインタラクションに対応するビットストリームと、各スライドに関連するプレゼンターの音声に対応するビットストリームを含む複数のオーバーレイされた再生可能なビットストリームを有する閲覧可能なマルチメディアデータオブジェクトを作成する方法であって、
前記音声ビットストリーム内の位置をトラッキングするステップと、
前記マルチメディアデータオブジェクトを取り込んでいる間に、スライド内の関心ポイントとのプレゼンターインタラクションを検出するステップであって、前記プレゼンターインタラクションは、前記シンボリックインタラクションビットストリーム内のシンボリックインタラクションとして表されることからなる、ステップと、
前記シンボリックインタラクションを、前記プレゼンターインタラクション時に発生する音声ストリーム内の対応するトラッキング位置にリンクするステップ
とを含む、方法。
【請求項１５】
スライドの再生画像内のシンボリックインタラクションを選択することにより、再生中にマルチメディアデータオブジェクトを閲覧するステップをさらに含み、前記音声ストリームは、前記音声ストリーム内の前記トラッキング位置で再生が開始される、請求項１４記載の方法。